【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
第１のＰＤＳＣＨ（Physical Downlink Shared Channel）をスケジュールする第１のＤＣＩ（Downlink Control Information）フォーマットを含む第１のＰＤＣＣＨ（Physical Downlink Control Channel）を受信し、前記第１のＰＤＣＣＨを受信した後に、第２のＰＤＳＣＨをスケジュールする第２のＤＣＩフォーマットを含む第２のＰＤＣＣＨを受信し、前記第２のＰＤＣＣＨを受信した後に、第３のＰＤＳＣＨをスケジュールする第３のＤＣＩフォーマットを含む第３のＰＤＣＣＨを受信する受信部と、
前記第２のＤＣＩフォーマットが、報告を要求するＰＤＳＣＨグループを示さず、かつ、前記第３のＤＣＩフォーマットが、報告を要求する１つまたは複数のＰＤＳＣＨグループを示すときに、前記第２のＰＤＳＣＨ内の第２のトランスポートブロックに対応する第２のＨＡＲＱ−ＡＣＫ（Hybrid Automatic Repeat request ACKnowledgement）ビットを、第１のＰＵＣＣＨ（Physical Uplink Control Channel）にて送信し、前記第１のＰＤＳＣＨ内の第１のトランスポートブロックに対応する第１のＨＡＲＱ−ＡＣＫビットと前記第３のＰＤＳＣＨ内の第３のトランスポートブロックに対応する第３のＨＡＲＱ−ＡＣＫビットとを、前記第１のＰＵＣＣＨの送信の後に送信される第２のＰＵＣＣＨにて送信する送信部と
を備える、端末装置。
【請求項２】
前記送信部は、前記第２のＤＣＩフォーマットが報告を要求する１つまたは複数のＰＤＳＣＨグループを示し、かつ、前記第３のＤＣＩフォーマットが報告を要求する１つまたは複数のＰＤＳＣＨグループを示すときに、前記第１のＨＡＲＱ−ＡＣＫビットと、前記第２のＨＡＲＱ−ＡＣＫビットとを、前記第１のＰＵＣＣＨにて送信し、前記第１のＨＡＲＱ−ＡＣＫビットと、前記第２のＨＡＲＱ−ＡＣＫビットと、前記第３のＨＡＲＱ−ＡＣＫビットとを、前記第２のＰＵＣＣＨにて送信する、
請求項１に記載の端末装置。
【請求項３】
第１のＰＤＳＣＨ（Physical Downlink Shared Channel）をスケジュールする第１のＤＣＩ（Downlink Control Information）フォーマットを含む第１のＰＤＣＣＨ（Physical Downlink Control Channel）を送信し、前記第１のＰＤＣＣＨを送信した後に、第２のＰＤＳＣＨをスケジュールする第２のＤＣＩフォーマットを含む第２のＰＤＣＣＨを送信し、前記第２のＰＤＣＣＨを送信した後に、第３のＰＤＳＣＨをスケジュールする第３のＤＣＩフォーマットを含む第３のＰＤＣＣＨを送信する送信部と、
前記第２のＤＣＩフォーマットが、報告を要求するＰＤＳＣＨグループを示さず、かつ、前記第３のＤＣＩフォーマットが、報告を要求する１つまたは複数のＰＤＳＣＨグループを示すときに、前記第２のＰＤＳＣＨ内の第２のトランスポートブロックに対応する第２のＨＡＲＱ−ＡＣＫ（Hybrid Automatic Repeat request ACKnowledgement）ビットを、第１のＰＵＣＣＨ（Physical Uplink Control Channel）にて受信し、前記第１のＰＤＳＣＨ内の第１のトランスポートブロックに対応する第１のＨＡＲＱ−ＡＣＫビットと前記第３のＰＤＳＣＨ内の第３のトランスポートブロックに対応する第３のＨＡＲＱ−ＡＣＫビットとを、前記第１のＰＵＣＣＨの送信の後に送信される第２のＰＵＣＣＨにて受信する受信部と
を備える、基地局装置。
【請求項４】
前記受信部は、前記第２のＤＣＩフォーマットが報告を要求する１つまたは複数のＰＤＳＣＨグループを示し、かつ、前記第３のＤＣＩフォーマットが報告を要求する１つまたは複数のＰＤＳＣＨグループを示すときに、前記第１のＨＡＲＱ−ＡＣＫビットと、前記第２のＨＡＲＱ−ＡＣＫビットとを、前記第１のＰＵＣＣＨにて受信し、前記第１のＨＡＲＱ−ＡＣＫビットと、前記第２のＨＡＲＱ−ＡＣＫビットと、前記第３のＨＡＲＱ−ＡＣＫビットとを、前記第２のＰＵＣＣＨにて受信する、
請求項３に記載の基地局装置。
【請求項５】
端末装置に用いられる通信方法であって、
第１のＰＤＳＣＨ（Physical Downlink Shared Channel）をスケジュールする第１のＤＣＩ（Downlink Control Information）フォーマットを含む第１のＰＤＣＣＨ（Physical Downlink Control Channel）を受信するステップと、
前記第１のＰＤＣＣＨを受信した後に、第２のＰＤＳＣＨをスケジュールする第２のＤＣＩフォーマットを含む第２のＰＤＣＣＨを受信するステップと、
前記第２のＰＤＣＣＨを受信した後に、第３のＰＤＳＣＨをスケジュールする第３のＤＣＩフォーマットを含む第３のＰＤＣＣＨを受信するステップと、
前記第２のＤＣＩフォーマットが、報告を要求するＰＤＳＣＨグループを示さず、かつ、前記第３のＤＣＩフォーマットが、報告を要求する１つまたは複数のＰＤＳＣＨグループを示すときに、前記第２のＰＤＳＣＨ内の第２のトランスポートブロックに対応する第２のＨＡＲＱ−ＡＣＫ（Hybrid Automatic Repeat request ACKnowledgement）ビットを、第１のＰＵＣＣＨ（Physical Uplink Control Channel）にて送信し、前記第１のＰＤＳＣＨ内の第１のトランスポートブロックに対応する第１のＨＡＲＱ−ＡＣＫビットと前記第３のＰＤＳＣＨ内の第３のトランスポートブロックに対応する第３のＨＡＲＱ−ＡＣＫビットとを、前記第１のＰＵＣＣＨの送信の後に送信される第２のＰＵＣＣＨにて送信するステップと
を有する通信方法。
【請求項６】
基地局装置に用いられる通信方法であって、
第１のＰＤＳＣＨ（Physical Downlink Shared Channel）をスケジュールする第１のＤＣＩ（Downlink Control Information）フォーマットを含む第１のＰＤＣＣＨ（Physical Downlink Control Channel）を送信するステップと、
前記第１のＰＤＣＣＨを送信した後に、第２のＰＤＳＣＨをスケジュールする第２のＤＣＩフォーマットを含む第２のＰＤＣＣＨを送信するステップと、
前記第２のＰＤＣＣＨを送信した後に、第３のＰＤＳＣＨをスケジュールする第３のＤＣＩフォーマットを含む第３のＰＤＣＣＨを送信するステップと、
前記第２のＤＣＩフォーマットが、報告を要求するＰＤＳＣＨグループを示さず、かつ、前記第３のＤＣＩフォーマットが、報告を要求する１つまたは複数のＰＤＳＣＨグループを示すときに、前記第２のＰＤＳＣＨ内の第２のトランスポートブロックに対応する第２のＨＡＲＱ−ＡＣＫ（Hybrid Automatic Repeat request ACKnowledgement）ビットを、第１のＰＵＣＣＨ（Physical Uplink Control Channel）にて受信し、前記第１のＰＤＳＣＨ内の第１のトランスポートブロックに対応する第１のＨＡＲＱ−ＡＣＫビットと前記第３のＰＤＳＣＨ内の第３のトランスポートブロックに対応する第３のＨＡＲＱ−ＡＣＫビットとを、前記第１のＰＵＣＣＨの送信の後に送信される第２のＰＵＣＣＨにて受信するステップと
を有する通信方法。